(57)【要約】      （修正有）【課題】検索目的の論文だけでなく、その論文に関連する商品情報等を一括して閲覧・入手できるようにする。【解決手段】利用者がウェブブラウザ３０３を用いて論文の講読を要求する。ウェブサーバ２０２が利用者からの要求をアプリケーションサーバ２０３に送る。アプリケーションサーバ２０３の論文検索部２０３ａ、論文抽出処理部２０３ｃが論文を検索して論文データベース２０４ａ（アーカイブ２０７）から論文文書を取り出す。製品情報検索部２０３ｄが、抽出した論文に該当する製品情報を検索し、製品情報抽出部２０３ｅが結合可能データを参照して結合可能であれば該当する製品情報を抽出する。製品情報が結合可能な場合には、アプリケーションサーバ２０３の結合処理部２０３ｆが論文のＰＤＦ文書および製品情報のＰＤＦ文書を結合する。結合が可能でない場合には何もしない。結合処理部２０３ｆが結合した文書または論文の文書を送出する。【選択図】図１
2010039940.tif 000002
【特許請求の範囲】
【請求項１】
検索対象文書を記憶する文書データベースと、
製品情報およびその属性に関する情報を記憶する製品情報データベースと、
利用者の属性に関する情報を記憶する利用者属性データベースと、
検索対象文書および製品情報の間の関連付けを記憶する関連付け記憶手段と、
製品情報が関連付けられた検索対象文書について、利用者の属性および製品情報の属性に基づいて、当該検索対象文書と製品情報との結合を制御する規則を記憶する結合制御規則記憶手段と、
上記文書データベースに記憶されている検索対象文書の抽出を要求する利用者端末からの抽出要求に基づいて、該当する検索対象文書を上記文書データベースから抽出する文書抽出手段と、
上記関連付け記憶手段に記憶されている上記関連付けを参照して、上記文書抽出手段から抽出された検索対象文書に対して関連付けられた製品情報があるかどうかを判別し、上記関連付けられた製品情報がある場合には、上記結合制御規則手段に記憶されている規則を参照して、当該検索対象文書に上記製品情報を結合するかどうかを判別し、結合すべきと判別された場合には、上記製品情報を上記製品情報データベースから抽出して当該検索対象文書と結合する結合手段とを有し、
上記製品情報を上記検索対象文書と結合した場合には、結合文書を、そうでない場合には上記検索対象文書を出力する文書検索システム。
【請求項２】
上記検索対象文書は学術論文文書である請求項１記載の文書検索システム。
【請求項３】
上記検索対象文書、上記製品情報、および上記結合文書はポータブルドキュメントフォーマットの文書である請求項１または２記載の文書検索システム。
【請求項４】
上記製品情報は、担当者情報を含み、上記利用者の属性に応じて少なくとも上記担当者情報が適合するようになされる請求項１〜３のいずれかに記載の文書検索システム。
【請求項５】
上記検索対象文書および上記結合文書は、同一の文書識別子の下で、表現形態が異なる文書として管理される請求項１〜４のいずれかに記載の文書検索システム。
【請求項６】
上記結合文書は複数の表現形態を伴う請求項１〜５のいずれかに記載の文書検索システム。
【請求項７】
上記結合文書の表現形態は、製品情報の記載部分に関連して検索対象文書の記載部分に付加情報を含む請求項１〜６のいずれかに記載の文書検索システム。
【請求項８】
上記付加情報は上記製品情報の記載部分の予め定められた箇所へのアンカー情報である請求項７記載の文書検索システム。
【請求項９】
利用者の操作に基づいて上記結合文書の製品情報の記載部分に付加情報が追加される請求項１〜５のいずれかに記載の文書検索システム。
【請求項１０】
文書データベースが、検索対象文書を記憶するステップと、
製品情報データベースが、製品情報およびその属性に関する情報を記憶するステップと、
利用者属性データベースが、利用者の属性に関する情報を記憶するステップと、
関連付け記憶手段が、検索対象文書および製品情報の間の関連付けを記憶するステップと、
結合制御規則記憶手段が、製品情報が関連付けられた検索対象文書について、利用者の属性および製品情報の属性に基づいて、当該検索対象文書と製品情報との結合を制御する規則を記憶するステップと、
文書抽出手段が、上記文書データベースに記憶されている検索対象文書の抽出を要求する利用者端末からの抽出要求に基づいて、該当する検索対象文書を上記文書データベースから抽出するステップと、
結合手段が、上記関連付け記憶手段に記憶されている上記関連付けを参照して、上記文書抽出手段から抽出された検索対象文書に対して関連付けられた製品情報があるかどうかを判別し、上記関連付けられた製品情報がある場合には、上記結合制御規則手段に記憶されている規則を参照して、当該検索対象文書に上記製品情報を結合するかどうかを判別し、結合すべきと判別された場合には、上記製品情報を上記製品情報データベースから抽出して当該検索対象文書と結合するステップとを有し、
上記製品情報を上記検索対象文書と結合した場合には、結合文書を、そうでない場合には上記検索対象文書を出力する文書検索方法。
【請求項１１】
コンピュータを、
検索対象文書を記憶する文書データベース、
製品情報およびその属性に関する情報を記憶する製品情報データベース、
利用者の属性に関する情報を記憶する利用者属性データベース、
検索対象文書および製品情報の間の関連付けを記憶する関連付け記憶手段、
製品情報が関連付けられた検索対象文書について、利用者の属性および製品情報の属性に基づいて、当該検索対象文書と製品情報との結合を制御する規則を記憶する結合制御記憶手段、
上記文書データベースに記憶されている検索対象文書の抽出を要求する利用者端末からの抽出要求に基づいて、該当する検索対象文書を上記文書データベースから抽出する文書抽出手段、
上記関連付け記憶手段に記憶されている上記関連付けを参照して、上記文書抽出手段から抽出された検索対象文書に対して関連付けられた製品情報があるかどうかを判別し、上記関連付けられた製品情報がある場合には、上記結合制御規則手段に記憶されている規則を参照して、さらに、当該検索対象文書に上記製品情報を結合するかどうかを判別し、結合すべきと判別された場合には、上記製品情報を上記製品情報データベースから抽出して当該検索対象文書と結合する結合手段として機能させ、
上記製品情報を上記検索対象文書と結合した場合には、結合文書を、そうでない場合には上記検索対象文書を出力するための文書検索用コンピュータプログラム。
【発明の詳細な説明】
【技術分野】
【０００１】
この発明は、文書検索技術に関し、とくに、文書、典型的には学術論文文書を検索する際に、目的の文書だけでなく、その文書に関連する製品情報等を一括して閲覧・入手できるようにしたものである。
【背景技術】
【０００２】
理工学、医学、薬学等、科学分野の製品を製造・販売する場合、営業部員がお客様に製品の優位性、有効性、安全性等の製品の特徴を説明し、そのエビデンスとして、そのような特徴が記載されている学術論文を提供して、製品の販売促進を図ることが多い。このような営業活動に合わせて、自社のホームページや電子メールを利用してお客様に製品の特徴に関する情報を提供することも多い。
【０００３】
しかしながら、お客様がどのような製品に興味を持っているかを適宜に判断することが困難なため、時宜にかなった営業活動を行うことが困難な場合も多い。お客様にタイムリに商品情報を提供することが望まれる。
【０００４】
なお、この発明と関連する特許文献としては以下のものがある。
【０００５】
特許文献１は、電子掲示板のスレッド内の記事テキストや画像をＰＤＦ（ポータブルドキュメントフォーマット）形式のファイルに合成して提示することを開示している。
【０００６】
引用文献２は、データベースで管理される主資料と参照資料とを関連付けることを可能にし、前回の主資料の参照時に参照した参照資料を、後の時点に再び主資料を参照するときに容易に検索できるようにすることを開示している。
【０００７】
なお、上述の従来技術やその問題点は、この発明の背景の一部を説明するためにのみ説明している。この発明は上述の従来技術や問題点に限定されるものではない点に留意されたい。
【特許文献１】特開２００４−３６２１３５号公報
【特許文献２】特開平５−６７１６０号公報
【発明の開示】
【発明が解決しようとする課題】
【０００８】
この発明は、以上の事情を考慮してなされたものであり、文書を検索する際に、目的の文書だけでなく、その文書に関連する製品情報等を一括して閲覧・入手できるようにする文書検索技術を提供することを目的としている。
【課題を解決するための手段】
【０００９】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【００１０】
すなわち、この発明の一側面によれば、上述の目的を達成するために、文書検索システムに：検索対象文書を記憶する文書データベースと；製品情報およびその属性に関する情報を記憶する製品情報データベースと；利用者の属性に関する情報を記憶する利用者属性データベースと；検索対象文書および製品情報の間の関連付けを記憶する関連付け記憶手段と；製品情報が関連付けられた検索対象文書について、利用者の属性および製品情報の属性に基づいて、当該検索対象文書と製品情報との結合を制御する規則を記憶する結合制御規則記憶手段と；上記文書データベースに記憶されている検索対象文書の抽出を要求する利用者端末からの抽出要求に基づいて、該当する検索対象文書を上記文書データベースから抽出する文書抽出手段と；上記関連付け記憶手段に記憶されている上記関連付けを参照して、上記文書抽出手段から抽出された検索対象文書に対して関連付けられた製品情報があるかどうかを判別し、上記関連付けられた製品情報がある場合には、上記結合制御規則手段に記憶されている規則を参照して、当該検索対象文書に上記製品情報を結合するかどうかを判別し、結合すべきと判別された場合には、上記製品情報を上記製品情報データベースから抽出して当該検索対象文書と結合する結合手段とを設け、上記製品情報を上記検索対象文書と結合した場合には、結合文書を、そうでない場合には上記検索対象文書を出力するようにしている。
【００１１】
この構成によれば、論文を検索する際に、目的の文書だけでなく、その文書に関連する製品情報等を一括して閲覧・入手できる。
【００１２】
この構成において、典型的には、上記検索対象文書、上記製品情報、および上記結合文書はポータブルドキュメントフォーマット（以下、単にＰＤＦと呼ぶこともある）の文書である。検索対象の文書は典型的には学術論文の文書であるが、これに限定されない。
【００１３】
また、上記製品情報は、担当者情報を含み、上記利用者の属性、例えばその地域性に応じて少なくとも上記担当者情報が適合するようにされてよい。
【００１４】
また、上記検索対象文書および上記結合文書は、同一の文書識別子の下で、表現形態（以下、レンディションともいう）が異なる文書として管理されてよい。
【００１５】
また、上記結合文書は複数の表現形態を伴ってよい。
【００１６】
また、上記結合文書の表現形態は、製品情報の記載部分に関連して検索対象文書の記載部分に付加情報を含んでよい。
【００１７】
また、上記付加情報は上記製品情報の記載部分の予め定められた箇所へのアンカー情報であってよい。
【００１８】
また、利用者の操作に基づいて上記結合文書の製品情報の記載部分に付加情報が追加されてもよい。
【００１９】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品もこの発明の技術的な範囲に含まれることも当然である。
【００２０】
この発明の上述の側面および他の側面は特許請求の範囲に記載され以下実施例を用いて詳述される。
【発明の効果】
【００２１】
この発明によれば、論文を検索する際に、目的の論文だけでなく、その論文に関連する商品情報等を一括して閲覧・入手できる。
【発明を実施するための最良の形態】
【００２２】
以下、この発明の文書検索システムの実施例について説明する。
【００２３】
図１は、この実施例の文書検索システム１００を全体として示しており、この図において、文書検索システム１００は、文書管理センタ２００の各種コンピュータシステムと、利用者居宅（勤務先の施設も含む）３００の各種コンピュータシステムとから構成されている。図では利用者居宅３００は１つしか示さないけれども通常は複数である。文書管理センタ２００および利用者居宅３００は通信ネットワーク４００により接続されている。利用者は利用者居宅３００から通信ネットワーク４００を介して文書管理センタ２００にアクセスして以下に説明するような文書検索サービスの提供を受ける。文書検索サービスは典型的にはキーワードや書誌事項の指定に基づいて文書を検索し文書の電子コピーまたはハードコピーを提供することであるが、これに限定されない。この例ではウェブの閲覧ソフトウェアを用いてサービスを提供するけれども、専用のソフトウェアを用いてもよい。
【００２４】
文書管理センタ２００および利用者居宅３００内において示される各種機能ブロックは、コンピュータのハードウェア資源およびソフトウェアが協働して実現される。ソフトウェアは記録媒体２０１、３０１、または通信回線を介して提供されて、対応するコンピュータシステムにインストールされる。
【００２５】
利用者居宅３００にはクライアント端末３０２が設けられ、クライアント端末３０２上でウェブブラウザ３０３が実行される。ウェブブラウザ３０３は、文書の閲覧が可能であるとともに文書の印刷を指示することが可能である。クライアント端末３０２は典型的にはパーソナルコンピュータであるが、これに限定されない。クライアント端末３０２は通信ネットワーク４００に接続されている。
【００２６】
文書管理センタ２００は、学術論文を記憶管理するものである。文書管理センタ２００には、ウェブサーバ２０２、アプリケーションサーバ２０３、データベース管理システム２０４、ルータ２０５等が設けられ、これらが通信ネットワーク（例えばＬＡＮ）２０６に接続されている。ウェブサーバ２０２は、利用者居宅３００のウェブブラウザ３０３との間でデータ通信を行うためのものであり、例えばＰＯＳＴメソッドによりデータの通信を行う。もちろん他の通信ファシリティを用いてもよい。データベース管理システム２０４は、論文データベース２０４ａ、製品情報データベース２０４ｂ、利用者情報データベース２０４ｃ、担当者情報データベース２０４ｄ等を管理する。アプリケーションサーバ２０３は、ウェブサーバ２０２を介して利用者居宅３００からのサービス要求を受け取って各種サービスを提供する。アプリケーションサーバ２０３は、機能的には、例えば、論文検索部２０３ａ、ヒットリスト生成部２０３ｂ、論文抽出処理部２０３ｃ、製品情報検索部２０３ｄ、製品情報抽出部２０３ｅ、結合処理部２０３ｆ等を実現する。これらアプリケーションサーバ２０３の各種機能部は、データベース管理システム２０４が管理する、論文データベース２０４ａ、製品情報データベース２０４ｂ、利用者情報データベース２０４ｃ、担当者情報データベース２０４ｄを参照して各種のサービスを提供する。アプリケーションサーバ２０３に代えてウェブサーバ２０２のｃｇｉプログラム等を用いてもよい。
【００２７】
データベース管理システム２０４に管理される論文データベース２０４ａは、例えば図２に示すようなデータを保持する。図２の例では、論文データベース２０４ａの文書レコードは、文書ＩＤ、学会名、雑誌名、巻名、論文タイトル、著者、保管位置、関連製品情報ＩＤ等を含んでいる。この例ではアーカイブ２０７に論文データの実体を保管しており、保管位置はこのアーカイブ２０７における保管位置を示す。文書ＩＤは文書ごとの一意の識別子である。関連製品情報ＩＤは、製品情報データベース２０４ｂに記憶される製品情報に関連する情報レコードのＩＤを示す。関連製品情報ＩＤにより文書を予め定められた製品情報に関連付けることができる。この関連づけは、製品情報または製品の提供元等からの要求に応じて文書管理センタ２００が設定する。関連付けされた製品情報がない場合には空になる。複数の製品情報（関連製品情報ＩＤ）が１つの文書に関連付けられてもよい。この場合には、利用者等に応じて１の製品情報を有効にしたり、あるいは複数の関連付けをそのまま有効にしてもよい。
【００２８】
製品情報データベース２０４ｂは、例えば、図３に示すようなデータを保持する。ここでいう製品は医薬品、装置、その他の任意の製品である。典型的には、薬剤等の１種類の製品を念頭においているけれども、種々のタイプの製品を共通して扱ってもよい。製品情報ＩＤは製品情報に一意に割り当てられる識別子である。結合許可データは、例えば、どのような利用者タイプに対して、製品情報の論文への結合を許可するかを指定するリストである。許可する所属機関、職制等を列挙して許可範囲を限定している。例えば「所属機関Ａ」と規定されると所属機関Ａに所属する任意の利用者が結合許可の対象となる。「所属機関Ｂ＿職制Ｃ」の場合、所属機関Ｂで職制Ｃの利用者が結合許可の対象となる。もちろん、他の任意の態様で許可データを記述してよい。保管位置はアーカイブ２０７における製品情報の実体の保管位置である。
【００２９】
利用者情報データベース２０４ｃは、例えば図４に示すようなデータを保持する。利用者ＩＤは利用者に一意に割り当てられる識別子である。所属機関は、利用者が所属する大学、病院、会社等であり、職制はそれら所属機関の職位である。地域は所属機関の所在する地域的な領域である。地域の情報は製品、例えば医薬品の地域的な営業範囲に相当するものが好ましいが、これに限定されない。
【００３０】
担当者情報データベース２０４ｄは、例えば図５に示すようなデータを保持する。担当者は製品の営業・販売を担当する者である。担当者ＩＤは担当者に一意に割り当てられる識別子である。地域は担当者が担当する地域的な営業範囲である。
【００３１】
アプリケーションサーバ２０３の論文検索部２０３ａは、通信ネットワーク４００、ウェブサーバ２０２を介して利用者のクライアント端末３０２から送られてくる、各種の論文検索依頼を受け取って論文の検索を行うものである。キーワード検索の依頼があった場合には、例えば、図示しないインデックスを参照してキーワードに該当する論文（文書ＩＤ）を検索して、その文書ＩＤを出力する。ヒットリスト生成部２０３ｂは、論文検索部２０３ａから出力された文書ＩＤに基づいて論文データベース２０４ａを参照して、ヒットした論文の書誌事項を一覧記述するデータをウェブサーバ２０２を介して利用者のクライアント端末３０２に返す。クライアント端末３０２のウェブブラウザ３０３はヒットリスト等の表示を閲覧可能に利用者に提示する（例えば図８に示す）。書誌事項に基づく検索の場合には、論文検索部２０３ａは論文データベース２０４ａを直接参照して所望の論文を特定して利用者に提示可能にする。利用者はヒットリスト等を閲覧して１または複数の論文の講読を要求する。この要求に際しては講読のタイプ、例えば、要約、論文の全文等の別を指定できる。
【００３２】
論文抽出処理部２０３ｃは論文講読依頼をウェブサーバ２０２等を介して利用者のクライアント端末３０２から受け取り、指定された論文の本体を、アーカイブ２０７の保管位置から取り出す。アーカイブ２０７は要約および全文を個別の表現形態（レンディションともいう）として管理し、個別に抽出可能である。
【００３３】
製品情報検索部２０３ｄは、講読依頼された論文の文書ＩＤを受け取って、論文データベース２０４ａを参照して、当該論文に関連付けられた製品情報（その関連製品情報ＩＤ）を検索するものである。製品情報抽出部２０３ｅは、検索結果の関連製品情報ＩＤに基づいて製品情報データベース２０４ｂを参照して当該製品情報の結合許可データを取得し、利用者の所属機関や職制（利用者情報データベース２０４ｃ）等がこれに適合するかどうかを判別し、適合する場合のみ、該当する製品情報をアーカイブ２０７の保管位置から抽出する。典型的には製品情報を見せたくない者、例えば、競合会社の社員等が論文を講読する場合には、製品情報が論文に結合されないようにできる。結合処理部２０３ｆは、抽出された製品情報がある場合には、この製品情報の文書を論文の文書に結合し、そうでない場合には、論文の文書をそのまま出力する。結合処理部２０３ｆから出力された論文または結合文書はウェブサーバ２０２等を介して利用者のクライアント端末３０２に返され、利用者はウェブブラウザ３０３を用いてその結果を閲覧し、また、適宜、プリントする。
【００３４】
論文に製品情報を結合する対象は任意であるけれども、例えば、図６に示すように、論文の文書に続けて製品情報の文書を結合する。製品情報の文書には、該当する製品について、利用者の地域を担当する担当者の情報（電話、メールアドレス等）を付加してもよい。
【００３５】
論文および製品情報は典型的にはＰＤＦ（ポータブルドキュメントフォーマット）の文書として保管されている。結合処理部２０３ｆは、複数のＰＤＦファイルを１つに結合する周知の機能を具備している。典型的には、結合処理部２０３ｆは、論文の最終ページのコンテンツのあとに後続のページとして製品情報のページコンテンツをアペンドしていくものであるが、これに限定されない。ＰＤＦ合成については特許文献１や特開２００２−７３８３号公報に記載されている。
【００３６】
結合処理部２０３ｆでカバーページ等を付加してもよい。またこのカバーページに担当者の情報を記載してもよい。
【００３７】
図７は、この実施例の動作の全体的な流れを示している。この図において、動作の詳細は以下のとおりである。
【００３８】
［ステップＳ１０］：利用者がウェブブラウザ３０３を用いて論文の講読を要求する。なお、論文を特定するために適宜にキーワード検索、書誌検索を行う。
［ステップＳ１１］：ウェブサーバ２０２が利用者からの要求をアプリケーションサーバ２０３に送る。
［ステップＳ１２］：アプリケーションサーバ２０３の論文検索部２０３ａ、論文抽出処理部２０３ｃが論文を検索して論文データベース２０４ａ（アーカイブ２０７）から論文文書を取り出す。
［ステップＳ１３］：アプリケーションサーバ２０３の製品情報検索部２０３ｄが、抽出した論文に該当する製品情報を検索し、製品情報抽出部２０３ｅが結合可能データを参照して結合可能であれば該当する製品情報を抽出する。
［ステップＳ１４］：製品情報が結合可能な場合には、アプリケーションサーバ２０３の結合処理部２０３ｆが論文のＰＤＦ文書および製品情報のＰＤＦ文書を結合する。結合が可能でない場合には何もしない。
［ステップＳ１５］：結合処理部２０３ｆが結合した文書または論文の文書を送出する。
［ステップＳ１６］：ウェブサーバ２０２が文書を利用者のクライアント端末３０２に返す。
［ステップＳ１７］：利用者がウェブブラウザ３０３を用いて文書を閲覧し、また、適宜、プリントする。
【００３９】
つぎに、実施例の変形例について説明する。
【００４０】
この変形例では、図８に示すように、ヒットした論文の一覧が表示され、この一覧で、要約（製品情報なし）、全文（製品情報なし）、要約（製品情報あり）、全文（製品情報あり）の４種類の表示形態（レンディション）のうちの１つを指定して論文の講読を指示できるようになっている。この例では、論文抽出処理部２０３ｃが利用者からの講読要求のレンディションに関するパラメータに応じて処理を行い、要約（製品情報なし）、全文（製品情報なし）の場合には製品情報の検索・抽出の処理は行わない。結合する製品情報がない場合には、「要約」、「全文」のボタンのみを表示したり、「要約（製品情報あり）」、「全文（製品情報あり）」のボタンを非アクティブにしたりしてよい。
【００４１】
また、他の変形例では、図９に示すように、結合文書に、製品情報等に関連してアノテーション（付加情報）を付加するようになっている。例えば、論文中に製品情報の参照箇所の説明等をアノテーションとして付加したり、また製品情報の所定箇所へのアンカー情報を付加してリンクさせるようにしてもよい。論文の方にアンカー情報を埋め込み、製品情報から論文へのリンクを行うようにできる。この場合、例えば図１に破線で示すように、アノテーション（アンカー情報も含む）に関する情報、例えばアノテーションの内容（テキスト、色等の属性）や挿入位置（何番目の文字位置、またはどの頁のどの座標位置に挿入するか等の指定）を記憶するアノテーション情報記憶部２０８を設け、結合文書と同時にアノテーション情報も利用者のクライアント端末３０２に送信して、ウェブブラウザ３０３に組み込まれたアノテーション付加モジュール３０４（図１に破線で示す）を用いて、利用者のアノテーション表示指示操作（例えばボタンのクリック操作）に応じて、アノテーション情報に従って結合文書にアノテーション等が表示されるようにする。通常の注釈のアノテーションは、上下左右の欄外や行間に挿入され、アンカーは指定位置の文字群にタグ情報等を用いて埋め込まれる。脚注の形態でアノテーションを表示する。例えば、頁下方の空欄に説明を記述し、この説明番号を対応する用語に近接して表示する。この場合、アノテーションを予め付加しておく必要がないので、アーカイブされている論文については著作物の同一性保持が確保される。
【００４２】
あるいは、アノテーション付きの論文文書を別のレンディションとして保持しておき、利用者がアノテーション表示の指示を行ったときに、アノテーション付きの論文文書と製品情報とを結合して利用者側に送信してもよい。
【００４３】
また、論文文書のレンディションと論文および製品情報の結合文書のレンディションを個別に予め準備しておけば動的に結合処理を行わずに済む。
【００４４】
なお、この発明は特許請求の範囲の記載に基づいて決定されるものであり、実施例の具体的な構成、課題、および効果には限定されない。この発明は上述の実施例に限定されるものではなくその趣旨を逸脱しない範囲で種々変更が可能である。例えば、文書のフォーマットはＰＤＦに限定されず、種々の文書フォーマットを採用してよい。ＰＤＦの内容は、画像、テキスト等を含む。１つの文書に複数の製品情報を関連づけしてもよい。
【図面の簡単な説明】
【００４５】
【図１】この発明の実施例の論文検索システムを全体として示す図である。
【図２】図１の実施例の論文情報データベースの例を説明する図である。
【図３】図１の実施例の製品情報データベースの例を説明する図である。
【図４】図１の実施例の利用者論文情報データベースの例を説明する図である。
【図５】図１の実施例の担当者情報データベースの例を説明する図である。
【図６】論文と製品情報の結合例を説明する図である。
【図７】上述実施例の動作例を説明する図である。
【図８】上述実施例の変形例を説明する図である。
【図９】上述実施例の他の変形例を説明する図である。
【符号の説明】
【００４６】
１００      文書検索システム
２００      文書管理センタ
２０１      記録媒体
２０２      ウェブサーバ
２０３      アプリケーションサーバ
２０３ａ      論文検索部
２０３ｂ      ヒットリスト生成部
２０３ｃ      論文抽出処理部
２０３ｄ      製品情報検索部
２０３ｅ      製品情報抽出部
２０３ｆ      結合処理部
２０４      データベース管理システム
２０４ａ      論文データベース
２０４ａ      論文データベース
２０４ｂ      製品情報データベース
２０４ｃ      利用者情報データベース
２０４ｄ      担当者情報データベース
２０５      ルータ
２０６      ＬＡＮ
２０７      アーカイブ
２０８      アノテーション情報記憶部
３００      利用者居宅
３０１      記録媒体
３０２      クライアント端末
３０３      ウェブブラウザ
３０４      アノテーション付加モジュール
４００      通信ネットワーク
【図１】
2010039940.tif 000003
【図２】
2010039940.tif 000004
【図３】
2010039940.tif 000005
【図４】
2010039940.tif 000006
【図５】
2010039940.tif 000007
【図６】
2010039940.tif 000008
【図７】
2010039940.tif 000009
【図８】
2010039940.tif 000010
【図９】
2010039940.tif 000011